(57)【要約】【目的】産業廃棄物の削減により環境問題の解決への寄与を目的として、全く新しい塗料容器と、これを使用した塗料容器のリサイクルシステムの開発・確立。【構成】  ２液型塗材用容器の少なくとも片方に、アルミパウチを使用していることを特徴とする塗材用容器。  ２液型塗材用容器の片方に、アルミパウチを使用し、残り片方に使用する塗材用容器は、使用後回収し、原料として再生することを特徴とする２液型塗材容器のリサイクルシステム。【特許請求の範囲】
【請求項１】
２液型塗材用容器の少なくとも片方に、アルミパウチを使用していることを特徴とする塗材用容器。
【請求項２】
２液型塗材用容器の片方に、アルミパウチを使用し、残り片方に使用する塗材用容器は、使用後回収し、原料として再生することを特徴とする２液型塗材用容器のリサイクルシステム。
【発明の詳細な説明】
【技術分野】
【０００１】
本発明は、２液型塗材用容器及びリサイクルシステムに関する。
【背景技術】
【０００２】
２液型塗材は、２成分系液体に分かれた状態で塗装現場に搬入され、塗装の直前に２成分を混合攪拌することにより硬化反応を開始せしめ、強固な塗膜を形成することができる塗料である。塗装時には低粘度であるため塗装作業性が優れ、乾燥硬化後は、強度、伸び、耐薬品性、耐衝撃性等に優れた塗膜が形成される。このため、２液型塗材は塗り床材、屋根防水材、建築外装材、接着剤、シーリング材、パテ等に広く使用されている。
【０００３】
上記の様に、広範に建築、土木、塗装等の工事現場において使用される２液型塗材は、４リットル容量、１８リットル容量の角缶、丸缶等の荷姿により、現場に運送され、２成分系に分かれた液体を混合攪拌し、接着剤塗布、パテ塗り、防水工事、塗装工事に使用されている。
【０００４】
使用済の缶は多くの場合、自治体によって扱いが異なるが、産業廃棄物となる。国内全体として産業廃棄物の処理費用の増大は、解決を迫られている課題となっている。このため、塗料業界、塗装業界においても環境負荷軽減のため、使用済塗料缶の処理問題に苦心しており、各種の対策が考えられている。
【発明の開示】
【発明が解決しようとする課題】
【０００５】
そこで、全く新しい塗料容器と、これを使用した塗料容器のリサイクルシステムを開発することが本発明の課題である。
【課題を解決するための手段】
【０００６】
かかる課題を解決せんとして、本発明者は鋭意研究の結果、２成分系のうち少なくとも１成分についてはアルミパウチを塗材用容器として使用し、これを用いた塗材用容器のリサイクルシステムを開発したものであり、その要旨は以下に存する。
【０００７】
２液型塗材用容器の少なくとも片方に、アルミパウチを使用していることを特徴とする塗材用容器。
２液型塗材用容器の片方に、アルミパウチを使用し、残り片方に使用する塗材用容器は、使用後回収し、原料として再生することを特徴とする２液型塗材容器のリサイクルシステム。
以下に詳細に説明する。
【０００８】
アルミパウチとは、現在主として食品用に使用されている包装材であり、その構成の一例としては、支持材、アンカーコート層、ポリエチレン層、アルミニウム箔層、第２アンカーコート層、シーラント層の各層からなるものである。支持材としては２軸延伸ポリエステル、２軸延伸ポリアミド等のフィルム、紙類、セロハン等が使用されている。アンカーコート層としてはポリエチレンイミン、ポリエステル、ポリウレタン等の樹脂系アンカーコート剤、チタネート等の汎用アンカーコート剤が使用されている。アルミニウム箔層としては、汎用の、６〜１５μｍ程度の厚さの軟質アルミニウム箔が使用されている。シーラント層は必要に応じて２層のコートが施されている場合がある。
【特許文献１】特開平８-２４４１６９
【０００９】
アルミパウチは上記の様な構成により、内部に収納されるものが長期に渡って安定した品質を保ち得るため、食品業界においてレトルト食品用包装材として広範に使用されている。この優れた品質保持性能に着目し、塗料用容器としての使用を発明したものである。アルミパウチに収納された塗料は、現場において切り口を手で容易に切り裂いて開口することができるため、従来缶切り等の道具が必要であった缶の開口が著しく容易となり、しかも安全である。
【００１０】
２液型塗材の場合、混合使用する２成分系を識別するために、夫々にＡ液、Ｂ液という商品符合を付与表示して使用することが一般的である。Ａ液、Ｂ液といった商品符号の代わりに主材、硬化材という表示がなされる場合もある。２液型塗材としては、ポリウレタン樹脂系、エポキシ樹脂系が代表的である。これらの２液型塗材用の容器に対して、アルミパウチの使用が効果的である。すなわち、２液型塗材は化学的に不安定な物質であるため、その保存については厳しい安定性が求められるが、アルミパウチの高い遮断性が、この要求に応えている。
【００１１】
２液型塗材の２成分系を共にアルミパウチとしても差し支えないが、２成分の混合比割合が大きい方（比較容量が大きい方）を、従来型の金属製缶とすることも可能である。これは、２成分を塗装直前に混合するためには、混合容器が必要となるが、２成分の内、大容量の方を金属製缶、又は樹脂容器とすることにより、大容量側容器に、片方の小容量成分を投入し、そのまま混合容器として使用することが可能となるからである。更に、円筒形のペール缶、又は樹脂容器を採用し、使用後の缶又は容器をリサイクル業者により回収し、これを溶融又は粉砕して、原料に再生するリサイクルシステムを構築することが可能となる。
【発明の効果】
【００１２】
アルミパウチは専用充填機により塗料を充填し、充填口を熱封入するため、そのサイズを変更することでいかなる容量の塗材容器としても適用が可能である。また、前述したように収納物に対する高い品質保持性能は、安全性が求められる食品用としての実績からも明らかであり、２液型塗材を始め各種の接着剤用、シーリング材用、パテ用、防水材用、塗料用容器としても広範な利用が期待できる。また、アルミパウチ自身は可燃の一般ゴミとしての処理が可能であるため、産業廃棄物の発生はなく、環境負荷の低減に寄与することができる。
【発明を実施するための最良の形態】
【００１３】
本発明の理解に供するため、以下に実施例を記載する。いうまでもなく、本発明は以下の実施例に限定されるものではない。
【実施例１】
【００１４】
エポキシ樹脂系Ａ液を１８リットル容量のスティール製ペール缶に１２ｋｇ計量缶詰めし、同Ｂ液をアルミパウチに反応当量分である３ｋｇ計量封入した荷姿とした。塗装現場において、Ａ液容器のペール缶を開け、Ｂ液容器のアルミパウチを破り、Ｂ液を全量Ａ液容器に投入し、ハンディ型高速攪拌機によりＡ液容器内で混合攪拌した。該塗料を塗装し、Ａ液容器はリサイクル業者により回収された後、溶融することにより鉄原料として再生され、Ｂ液容器は一般ゴミとして廃棄後、焼却処理された。
【実施例２】
【００１５】
ポリウレタン樹脂系防水材Ａ液を１８リットル容量のポリプロピレン製容器に１２ｋｇ計量缶詰めし、同防水材Ｂ液をアルミパウチに反応当量分である６ｋｇを計量封入した荷姿とした。防水材施工現場において、Ａ液容器を開け、Ｂ液容器のアルミパウチを破り、Ｂ液を全量Ａ液容器に投入し、ハンディ型高速攪拌機によりＡ液容器内で混合攪拌した。該防水材を施工塗布し、Ａ液容器はリサイクル業者により回収された後、粉砕することによりプラスチック原料として再生され、Ｂ液容器は一般ゴミとして廃棄後、焼却処理された。
【比較例】
【００１６】
実施例１、実施例２のそれぞれにおいて、Ａ液は１８リットルスティール製ペール缶、Ｂ液は６リットル容量スティール製角缶を使用した。各々の塗装工事終了後、各缶が産業廃棄物として排出された。
【産業上の利用可能性】
【００１７】
本発明は、塗料、防水材等の分野においては従来あまり使用されていなかったアルミパウチという包装材料に着目し、産業廃棄物の低減による環境負荷の低下という効果を得られるものであり、各種の２液型塗材用の容器として使用すれば、回収−粉砕−溶融−原料再生のリサイクルシステムと組み合わせることにより、従来大量に発生した産業廃棄物をゼロとすることもできる。このため、広く塗料業界、塗装業界、接着剤、シーリング材、パテを使用する業界に利用が見込めるものである。